(57)【要約】【課題】  学習教材に適したアーチ橋模型を提供する。【解決手段】  所要の間隔で配置した左右一対のアバット部材１を、左右方向に延びる連結部材２で一体に連結する。形成すべきアーチ橋部４の下面に沿う略半円柱形状の仮設材３と、左右のアバット部材１の内側から、その中央位置に配した仮設材３の頂部付近まで配列するアーチ石様部材６ａ，６ｂ，６ｃ，６ｄ，６ｅ，６ｆと、仮設材３の頂部付近の左右両側位置に配置されたアーチ石様部材６ｆの間に挿入するための要石様部材５を、発泡樹脂素材で形成する。連結部材２上にて左右のアバット部材１間の中央位置に仮設材３を載置し、仮設材３の頂部の左右両側に、各アーチ石様部材６ａ，６ｂ，６ｃ，６ｄ，６ｅ，６ｆを配列させた後、その間に要石部材５を打ち込み、その後、仮設材３を取り外すことで、アーチ橋部４を形成させる。【選択図】図１
2008115572.tif 000002
【特許請求の範囲】
【請求項１】
左右一対のアバット部材と、左右方向に延びて上記各アバット部材を連結する連結部材と、上記連結部材上における上記左右のアバット部材間の中央位置に配置する略半円柱形状の仮設材と、上記左右のアバット部材間にて上記仮設材の上側に沿うアーチ形状のアーチ橋部を構築するために、上記左右アバット部材の内壁面に接する位置から上記仮設材の上側に沿って該仮設材の頂部付近まで配列する複数のアーチ石様部材と、上記仮設材の頂部位置にて、該頂部付近の左右位置に配置されたアーチ石様部材の間に挿入する楔状の要石様部材とを備えてなる構成を有することを特徴とするアーチ橋模型。
【請求項２】
左右のアバット部材と、左右両端部のアーチ石様部材との間に挿入するための圧縮力調整部材を備えるようにした請求項１記載のアーチ橋模型。
【請求項３】
連結部材を左右方向に伸縮できるようにし、該連結部材の伸縮量を変化させることで、左右の各アバット部材同士の間隔を変化させることができるようにした請求項１記載のアーチ橋模型。
【請求項４】
略半円柱形状の仮設材を、上下方向及び又は左右方向に分割してなる分割構造とした請求項１、２又は３記載のアーチ橋模型。
【請求項５】
仮設材の前後方向の両端面を除く外面、又は、分割構造としてある仮設材の各構成部材における前後方向の両端面を除く外面に、摩擦抵抗を低減させる塗装を施すようにした請求項１、２、３又は４記載のアーチ橋模型。
【請求項６】
左右のアバット部材間にて仮設材の上面に沿って配列させた各アーチ石様部材及び要石様部材の上側に載置する蓋材を備え、且つ該蓋材を、上記各アーチ石様部材及び要石様部材の上側に載置するときに、該蓋材の上面が、上記要石様部材の上端部と同等の高さ位置以上の高さ位置で水平面となるようにした請求項１、２、３、４又は５記載のアーチ橋模型。
【請求項７】
仮設材と各アーチ石様部材と要石様部材、又は、上記各部材及び蓋材を、発泡樹脂素材製とした請求項１、２、３、４、５又は６記載のアーチ橋模型。
【発明の詳細な説明】
【技術分野】
【０００１】
本発明は、小学校等でアーチ橋の原理等を学習するための教材として使用するアーチ橋模型に関するものである。
【背景技術】
【０００２】
橋の形式の１つとして、アーチ形状の構造物を具備してなる形式のアーチ橋があり、該アーチ橋では、鉛直方向に作用する荷重を、上記アーチ形状構造物内でアーチ軸方向（円弧方向）の圧縮力に変換して該アーチ形状構造物の両端部まで伝達し、更に、上記アーチ形状構造物の両端部より地盤に設置してあるアバット（橋台）へ荷重を伝えて支持させるようにしてある。したがって、上記アーチ形状構造物内では、作用する荷重の大部分の力はアーチ軸方向の圧縮力となっていることから、アーチ橋は、圧縮に強い石やレンガ等の材料を用いた組積造に適しており、古典的なアーチ橋として、図７に示す如き石造アーチ橋ａが広く知られている。
【０００３】
すなわち、上記石造アーチ橋ａは、図７に示す如く、複数のアーチ石（輪石）ｂを、径間の両端部位置から所要のアーチ形状に沿って径間の中央部側へ順次せり出すように積み上げて配置すると共に、上記アーチ形状の頂上部付近まで積み上げられた左右のアーチ石ｂの間に、上記アーチ形状の頂上部に配置した楔型の要石（キーストーン）ｃを嵌め込むことにより、アーチ橋としての基本的構造となる径間方向に延びるアーチ形状構造物を形成するようにしてある。ｄは橋両側面のアーチ石ｂ及び要石ｃの上方に積む壁石であり、橋両側面をなす壁石ｄ同士の間に、中詰め土砂（図示せず）を充填するようにしてある。更に、図示してはいないが、所要高さ位置まで積み上げられた上記壁石の上側に欄干を設けるようにすることも行われている。
【０００４】
以上の構成としてあることにより、上記石造アーチ橋ａでは、鉛直方向に荷重が作用すると、該鉛直方向の荷重を、上記要石ｃとアーチ石ｂとからなるアーチ形状構造物内で隣接する石同士の間で、互いの接触面に垂直な方向に作用する圧縮力として、順次上記アーチ形状構造物の両端部まで伝達させるようにしてある。更に、上記アーチ形状構造物は、その構造上、該アーチ形状構造物の両端部に、鉛直方向下向きの圧縮力に加えて、水平方向外向きの大きな力が働くようになる。そのために、上記石造アーチ橋ａは、通常、河川の両岸に強固な地盤を確保できる場所に設置個所を選定することで、上記アーチ形状構造物の両端部に作用する水平方向外向きの大きな力を、上記河川の両岸の強固な地盤によって支持させるようにしてある。
【０００５】
ところで、近年、小学校教育等において、自然科学を学習する上で、上記石造アーチ橋ａの原理等、たとえば、一般的な橋の多くを占める桁橋は、径間に応じた長大な桁部材を必要とするのに対し、石造アーチ橋ａではアーチ石ｂや要石ｃといった比較的小さい部材を積み重ねる組積造の構造によって大きな径間の橋を構築できることや、アーチ形状に沿って配列したアーチ石ｂや要石ｃは、互いの接触面を接着等により一体に接合しなくても、強固なアーチ形状構造物を形成できて、アーチ橋ａを大きな荷重に耐え得るものとすることができること等を習得することが取り上げられてきている。
【０００６】
しかし、上記のような石造アーチ橋ａについての学習を、単に橋の写真や図面を教材として用いて行おうとしても、アーチ石ｂと要石ｃからなるアーチ形状構造物を備える石造アーチ橋ａの上記したような原理等については理解し難いというのが実状である。
【０００７】
そのため、現場の教育者は、上記アーチ石ｂと要石ｃとをそれぞれ模した部材をアーチ形状に沿って配列してアーチ形状構造物を組み立てることができるような組積造構造のアーチ橋模型等を使用して、上記石造アーチ橋ａの原理等を体験的に学習することの必要性を感じてきている。
【０００８】
なお、軽量で、且つ容易に架設できるアーチ橋としては、たとえば、材料に紙製の素材としてのダンボールを用いた下路式のローゼ橋を橋種とする移動可能な仮設橋が従来提案されている。この仮設橋は、アーチ部分と床版部からなる構成としてあり、上記アーチ部分は、切れ目の位置が互いに重ならない形状としてあるダンボール製の部材を積層して、アーチ状部と桁を剛接接合された状態で形成し、更に、上記アーチ状部と桁とを紙紐を材料とする吊り紐で繋いで形成してある。一方、上記床版部は、床版と補強材とをそれぞれダンボールを積層して作り、該床版の長手方向所要間隔位置に、補強材を平行に配置して取り付けて形成してある。更に、上記アーチ部分と床版部とを、橋全体が下路式のローゼ橋の形状となるように配置した状態にて、該アーチ部分と床版部とを剛接接合して仮設橋とするようにしてある。これにより、上記仮設橋は、全体を紙製として軽量化することができて、人力による、運搬や設置が可能であるとされている（たとえば、特許文献１参照）。
【０００９】
【特許文献１】特許第３６９６８７１号公報
【発明の開示】
【発明が解決しようとする課題】
【００１０】
ところが、前述したような学習教材として使用でき且つ石造アーチ橋ａと同様の組積造構造のアーチ橋模型を実現するには、教室の床等の平坦な場所での使用が前提となるため、上記石造アーチ橋のアーチ石ｂと要石ｃを模した部材によって組み立てられるアーチ形状構造物の両端部に水平方向外向きの大きな力が作用しても、該アーチ形状構造物の両端部が外側へ開かないようにすることが要求され、そのための手段の一つとしては、上記アーチ形状構造物の両端部に、水平方向に容易に移動させることが困難となるように重量の大きいコンクリート等により製作したアバットを取り付けることが考えられる。又、別の手段としては、屋内の床面等の固定部に、左右一対のアバットを、所要間隔を隔てて取り付けて、該各アバットに、上記アーチ形状構造物の両端部をそれぞれ取り付けて支持させるようにすることが考えられる。しかし、いずれのアバットを採用する場合にも、模型としては大掛かりになりすぎると共に、上記アーチ形状構造物を一旦製作すると、再度使用することが困難になるため、様々な場所に容易に搬送して、容易に組み立てを行うことが困難になると共に、繰り返し使用できることが要求される学習教材としては適さないものとなってしまうというのが実情である。
【００１１】
上記特許文献１に記載された紙製の仮設橋は、軽量であることから様々な場所に容易に搬送して組み立てを行うことは可能になると考えられるが、該仮設橋は、ダンボール製の各構成部材同士が剛接接合されているものであって、石造アーチ橋のような組積造によるものではない。しかも、上記紙製の仮設橋は、一旦組み立ててしまうと、分解することができないものであるため、繰り返し使用することはできず、そのため、学習教材としては不適である。
【００１２】
そこで、本発明は、石造アーチ橋のような組積造によるアーチ形状構造物（アーチ構造）を有するアーチ橋模型であって、人手で持ち運び可能となるよう軽量で且つコンパクトな構成を有し、更に、様々な場所で使用できると共に、繰り返し使用することが可能なアーチ橋模型を提供しようとするものである。
【課題を解決するための手段】
【００１３】
本発明は、上記課題を解決するために、請求項１に対応して、左右一対のアバット部材と、左右方向に延びて上記各アバット部材を連結する連結部材と、上記連結部材上における上記左右のアバット部材間の中央位置に配置する略半円柱形状の仮設材と、上記左右のアバット部材間にて上記仮設材の上側に沿うアーチ形状のアーチ橋部を構築するために、上記左右アバット部材の内壁面に接する位置から上記仮設材の上側に沿って該仮設材の頂部付近まで配列する複数のアーチ石様部材と、上記仮設材の頂部位置にて、該頂部付近の左右位置に配置されたアーチ石様部材の間に挿入する楔状の要石様部材とを備えてなる構成を有するアーチ橋模型とする。
【００１４】
又、上記構成において、左右のアバット部材と、左右両端部のアーチ石様部材との間に挿入するための圧縮力調整部材を備えるようにした構成とする。
【００１５】
同様に、上記構成において、連結部材を左右方向に伸縮できるようにし、該連結部材の伸縮量を変化させることで、左右の各アバット部材同士の間隔を変化させることができるようにした構成とする。
【００１６】
上記各構成における略半円柱形状の仮設材を、上下方向及び又は左右方向に分割してなる分割構造とした構成とする。
【００１７】
上述の各構成において、仮設材の前後方向の両端面を除く外面、又は、分割構造としてある仮設材の各構成部材における前後方向の両端面を除く外面に、摩擦抵抗を低減させる塗装を施すようにした構成とする。
【００１８】
又、上述の各構成において、左右のアバット部材間にて仮設材の上面に沿って配列させた各アーチ石様部材及び要石様部材の上側に載置する蓋材を備え、且つ該蓋材を、上記各アーチ石様部材及び要石様部材の上側に載置するときに、該蓋材の上面が、上記要石様部材の上端部と同等の高さ位置以上の高さ位置で水平面となるようにした構成とする。
【００１９】
更に、上述の各構成において、仮設材と各アーチ石様部材と要石様部材、又は、上記各部材及び蓋材を、発泡樹脂素材製とした構成とする。
【発明の効果】
【００２０】
本発明のアーチ橋模型によれば、以下のような優れた効果を発揮する。 
（１）左右一対のアバット部材と、左右方向に延びて上記各アバット部材を連結する連結部材と、上記連結部材上における上記左右のアバット部材間の中央位置に配置する略半円柱形状の仮設材と、上記左右のアバット部材間にて上記仮設材の上側に沿うアーチ形状のアーチ橋部を構築するために、上記左右アバット部材の内壁面に接する位置から上記仮設材の上側に沿って該仮設材の頂部付近まで配列する複数のアーチ石様部材と、上記仮設材の頂部位置にて、該頂部付近の左右位置に配置されたアーチ石様部材の間に挿入する楔状の要石様部材とを備えてなる構成としてあるので、上記左右のアバット間にて上記アーチ石様部材と要石様部材をからなるアーチ橋部を構築するときに、該アーチ橋部の両端部に作用する外向きの大きな力を、上記左右の各アバット部材を経て上記連結部材へ伝えることで、該連結部材の伸び剛性によって受けさせることができる。したがって、本発明のアーチ橋模型では、上記アーチ橋部の両端部に作用する水平力を、内力として処理できるようになるため、重量の大きいコンクリート等により製作したアバットや、屋内の床面等の固定部に固定したアバットが不要になることから、人手により持ち運び可能な軽量で且つコンパクトな模型とすることが可能になる。 
（２）又、上記アーチ橋部は、各アーチ石様部材と、要石様部材を接着等により接合することなく形成できるため、該アーチ橋部のアーチ形状の下方から力を加えることで容易に分解できる。したがって、何度でも繰り返し使用できるようになる。 
（３）以上により、本発明のアーチ橋模型は、学習教材として優れたものとすることができる。しかも、上記アーチ石様部材と要石様部材により構築されるアーチ橋部は、アーチ橋の原理を最も忠実に表現した模型となるため、自然科学の学習教材としても価値を有するものとすることができる。 
（４）左右のアバット部材と、左右両端部のアーチ石様部材との間に挿入するための圧縮力調整部材を備えるようにした構成とすることにより、該圧縮力調整部材を、上記左右のアバット部材と、左右両端部のアーチ石様部材との間に挿入することで、仮設材の頂部付近の左右位置に配置されたアーチ石様部材の間に要石様部材を挿入する際に、各アーチ石様部材に作用する圧縮力を調整することができて、上記アーチ石様部材及び要石様部材からなるアーチ橋部を確実に形成させることができる。 
（５）連結部材を左右方向に伸縮できるようにし、該連結部材の伸縮量を変化させることで、左右の各アバット部材同士の間隔を変化させることができるようにした構成とすることによっても、仮設材の頂部付近の左右位置に配置されたアーチ石様部材の間に要石様部材を挿入する際に、各アーチ石様部材に作用する圧縮力を調整することができて、上記アーチ石様部材及び要石様部材からなるアーチ橋部を確実に形成させることができる。 
（６）略半円柱形状の仮設材を、上下方向及び又は左右方向に分割してなる分割構造とした構成とすることにより、左右のアバット部材の間で、上記仮設材の上側に沿って配列するアーチ石様部材と要石様部材とからなるアーチ橋部を構築した後、該アーチ橋部の下側から上記仮設材を取り外す作業をより容易に行うことができる。 
（７）上記仮設材の前後方向の両端面を除く外面、又は、分割構造としてある仮設材の各構成部材における前後方向の両端面を除く外面に、摩擦抵抗を低減させる塗装を施すようにした構成とすることにより、構築したアーチ橋部の下側から上記仮設材を取り外す作業を更に容易なものとすることが可能になる。 
（８）左右のアバット部材間にて仮設材の上面に沿って配列させた各アーチ石様部材及び要石様部材の上側に載置する蓋材を備え、且つ該蓋材を、上記各アーチ石様部材及び要石様部材の上側に載置するときに、該蓋材の上面が、上記要石様部材の上端部と同等の高さ位置以上の高さ位置で水平面となるようにした構成とすることにより、複数のアーチ橋模型を重ねて収納したり、収納したアーチ橋模型の上側に別のものを載置できるようになることから、本発明のアーチ橋模型を、収納に有利なものとすることができる。 
（９）仮設材と各アーチ石様部材と要石様部材、更には、蓋材を、発泡樹脂素材製とすることにより、アーチ橋模型全体の軽量化を図ることができる。このため、人手による持ち運びをより容易なものとすることができて、学習教材として利用に更に適したものとすることが可能になる。
【発明を実施するための最良の形態】
【００２１】
以下、本発明を実施するための最良の形態を図面を参照して説明する。
【００２２】
図１乃至図４は本発明のアーチ橋模型の実施の一形態を示すもので、本発明のアーチ橋模型は、所要の間隔を隔てて配置する左右一対のアバット部材１と、左右方向に延びて上記左右のアバット部材１同士を一体に連結することにより該左右のアバット部材１同士の間隔を保持するための連結部材２と、形成すべきアーチ橋部４の下面形状に応じたアーチ形の上面形状を有する略半円柱形状とし、且つ上記連結部材２上にて上記左右のアバット部材１間の中央位置に載置できるようにしてある仮設材３と、上記左右のアバット部材１同士の間にて、上記仮設材３の上面のアーチ形状に沿って延びるアーチ橋部４を形成できるように、該形成すべきアーチ橋部４におけるアーチ形状の頂部を、組積造のアーチ橋における要石を模して楔形に切り出してなる要石様部材５、及び、上記アーチ橋部４における上記要石様部材５と対応するアーチ形状の頂部を除く左右両側部分を、組積造のアーチ橋におけるアーチ石を模してそれぞれ複数分割、たとえば、それぞれ６分割してなる形状のアーチ石様部材６ａ，６ｂ，６ｃ，６ｄ，６ｅ，６ｆとを備えてなる構成とする。
【００２３】
更に、上記連結部材２上における上記左右のアバット部材１同士の間の中央位置に上記仮設材３を配置して、該仮設材３の上側に、上記各アーチ石様部材６ａ，６ｂ，６ｃ，６ｄ，６ｅ，６ｆ及び要石様部材５を、上記アーチ橋部４を形成する場合と同様に並べた状態にて、上記要石様部材５の頂部の左右両側となる上記各アーチ石様部材６ａ，６ｂ，６ｃ，６ｄ，６ｅ，６ｆ及び要石様部材５の上側にそれぞれ載置する蓋材７を備える。且つ上記各蓋材７は、上記のように各アーチ石様部材６ａ，６ｂ，６ｃ，６ｄ，６ｅ，６ｆ及び要石様部材５の上側に載置すると、該各蓋材７の上面が、上記要石様部材５の頂部と同じ高さ位置で水平面をなすような形状としてある。
【００２４】
以下、詳述する。なお、以下で説明するアーチ橋模型は、教材としてのサイズや、全体の重量を考慮して、たとえば、左右のアバット部材１同士の間に構築するアーチ橋部４の全長を約１ｍに設定してあるものとする。
【００２５】
上記連結部材２は、たとえば、ベニヤ合板等の板材により矩形状に形成してあり、且つ該連結部材２の全長の長さ寸法（図上左右方向の長さ寸法）は、構築すべきアーチ橋部４の全長に応じた約１ｍの寸法を左右のアバット部材１同士の間に確保できるようにするために、約１ｍに、左右の各アバット部材１の取付部の長さ寸法を付加した寸法としてある。
【００２６】
上記各アバット部材１は、上記アーチ石様部材６ａ，６ｂ，６ｃ，６ｄ，６ｅ，６ｆのうちの左右の両端部に位置する各アーチ石様部材６ａの上下方向の厚み寸法と対応する高さ寸法で、上記連結部材２の前後方向寸法に応じて前後方向に延びる直方体形状としてある。具体的には、たとえば、矩形断面の長辺が、上記左右両端部に位置する各アーチ石様部材６ａの上下方向の厚み寸法と対応する寸法となる木材（角材）を、上記連結部材２の前後方向寸法に応じた長さ寸法に切断することで形成して、上記矩形断面の長辺が縦位置となるようにして前後方向に延びるよう配置すればよい。
【００２７】
上記左右の各アバット部材１は、上記連結部材２の左右両端部の上側に載置した状態にて、たとえば、釘等の所要の接合手段を用いて該連結部材２に強固に接合してある。これにより、上記左右のアバット部材１に、該各アバット部材１の間で形成する上記アーチ橋部４から水平方向外向きの大きな力が作用しても、その力を、上記左右のアバット部材１より上記連結部材２へ伝えて、該連結部材２の伸び剛性によって受けさせることができるようにしてある。
【００２８】
なお、上記各アバット部材１及び連結部材２は、それぞれに要求される強度（剛性）や、それぞれの製造コスト、各アバット部材１と連結部材２とを一体に接合するときの接合の容易性や接合強度、更には、これらの部材１，２を人手で可搬できる程度の重量に収めること等を考慮すると、上記したように、連結部材２は合板により形成し、各アバット部材１は木材により形成することが好ましいが、軽量で且つ所望される部材強度や接合強度が得られる材質であれば、上記各アバット部材１及び連結部材２は、いかなる材質を用いて形成するようにしてもよい。
【００２９】
更に、左右のアバット部材１の間の中央位置に配置した仮設材３の上側で上記アーチ石様部材６ａ，６ｂ，６ｃ，６ｄ，６ｅ，６ｆと要石様部材５とからなるアーチ橋部４を組み立てた後、該組み立てられたアーチ橋部４の下側から上記仮設材３を前後方向へ抜き出して取り外す作業を容易に実施できるようにするために、上記仮設材３は、所要の高さ位置で水平な分割面により上下２段に分割すると共に、この分割により形成される上段部材３ａと下段部分のうち、下段部分を、所要間隔を隔てた左右の２個所で、前後方向に平行な垂直の分割面で更に分割して、左右の下段端部部材３ｃ，３ｄと、その間に位置する下段中央部材３ｂとを形成してなる分割構造とするようにしてある。
【００３０】
更に又、上記仮設材３の上段部材３ａと、下段中央部材３ｂ、及び、左右の下段端部部材３ｃ，３ｄは、いずれも、前後の両端面を除く外面（表面）に、滑り易い塗料を塗布してなる構成として、上記仮設材３の各部材３ａ，３ｂ，３ｃ，３ｄ同士が摺動する際、及び、該各部材３ａ，３ｂ，３ｃ，３ｄが連結部材２の表面や、上記要石様部材５や各アーチ石様部材６ａ，６ｂ，６ｃ，６ｄ，６ｅ，６ｆの下面と摺動するときの摩擦抵抗を低減させることができるようにして、上記仮設材３の各部材３ａ，３ｂ，３ｃ，３ｄの取り外し作業に要する力を更に軽減できるようにしてある。
【００３１】
上記アーチ橋部４を構築するための要石様部材５やアーチ石様部材６ａ，６ｂ，６ｃ，６ｄ，６ｅ，６ｆ及び上記仮設材３は、部材重量を低減してアーチ橋模型全体の軽量化を図ることができるようにするために、いずれも、圧縮に対して比較的強く、且つ軽量な素材、たとえば、発泡スチロールのような発泡樹脂素材製としてある。このように、上記要石様部材５とアーチ石様部材６ａ，６ｂ，６ｃ，６ｄ，６ｅ，６ｆと仮設材３を同一の発泡樹脂素材製とし、更に、上記左右の蓋材７も同一の発泡樹脂素材製とするようにすれば、上記アーチ橋部４の縦、横、長さ寸法に応じた寸法を有する発泡樹脂素材の直方体のブロックから、上記仮設材３の各部材３ａ，３ｂ，３ｃ，３ｄと、アーチ橋部４を構築するための要石様部材５及びアーチ石様部材６ａ，６ｂ，６ｃ，６ｄ，６ｅ，６ｆと、上記各蓋材７を切り出して製作することが可能になる。これにより、材料を無駄なく利用することができるようになるため、材料コストの低減化を図るのに有利なものとすることができる。
【００３２】
なお、８はプラスチック板の如き圧縮力調整部材であり、該圧縮力調整部材８を、左右の各アバット部材１の内側壁面と、左右両端部に位置するアーチ石様部材６ａとの間に必要に応じて挿入することで、アーチ橋部４を形成させるために上記左右のアバット部材１同士の間の左右両側位置に配列させる各アーチ石様部材６ａ，６ｂ，６ｃ，６ｄ，６ｅ，６ｆの間に上記要石様部材５を挿入するときに、上記各アーチ石様部材６ａ，６ｂ，６ｃ，６ｄ，６ｅ，６ｆに作用させる圧縮力を調整できるようにしてある。なお、図示してはいないが、上記圧縮力調整部材８は、たとえば、１ｍｍ厚〜３ｍｍ厚等、厚み寸法の異なる複数のものを予め用意しておき、左右のアバット部材１の内側壁面と、左右両端部のアーチ石様部材６ａとの間に挿入する圧縮力調整部材８の厚みを適宜選定することで、上記各アーチ石様部材６ａ，６ｂ，６ｃ，６ｄ，６ｅ，６ｆに作用させる圧縮力の調整量を変化させるようにしたり、あるいは、たとえば、厚み寸法が１ｍｍ厚の圧縮力調整部材８を予め複数枚用意しておき、左右のアバット部材１の内側壁面と、左右両端部のアーチ石様部材６ａとの間に挿入する調整部材８の枚数を適宜選定することで、上記各アーチ石様部材６ａ，６ｂ，６ｃ，６ｄ，６ｅ，６ｆに作用させる圧縮力の調整量を変化させることができるようにしてある。
【００３３】
以上の構成としてある本発明のアーチ橋模型を使用する場合は、先ず、図３（イ）に示す如く、左右両端部にアバット部材１が一体に取り付けてある連結部材２を、屋内の床面等の所要の平坦な個所に置き、次に、上記連結部材２の左右方向の中央部に、上段部材３ａと、下段の各部材３ｂ，３ｃ，３ｄとを略半円柱形に組み立ててなる仮設材３を載置し、該仮設材３の左右両側に、左右両端部に位置する各アーチ石様部材６ａを、上記左右のアバット部材１の内側壁面に接触させるようにして載置する。
【００３４】
次に、図３（ロ）に示す如く、残るアーチ石様部材６ｂ，６ｃ，６ｄ，６ｅ，６ｆを、左右方向の外側に位置するものから順次積み上げるようにして上記仮設材３の上側に載置する。
【００３５】
次いで、図３（ハ）に示す如く、上記のように積み上げられて仮設材３の頂部付近の左右両側に配されたアーチ石様部材６ｆ同士の間に、要石様部材５を、図示しない角材等を用いて確実に打ち込むようにする。この際、上記要石様部材５の打ち込みによっても上記各アーチ石様部材６ａ，６ｂ，６ｃ，６ｄ，６ｅ，６ｆに十分な圧縮力を与えることができない場合は、上記要石様部材５を一旦取り外した状態として、図３（ハ）に二点鎖線で示す如く、上記左右の各アバット部材１の内側壁面と、左右両端部に位置する各アーチ石様部材６ａとの間に、前述の調整部材８を挿入し、しかる後、上記要石様部材５の打ち込み作業を再び行うようにして、該要石様部材５の打ち込みにより、その左右両側に配列されている各アーチ石様部材６ａ，６ｂ，６ｃ，６ｄ，６ｅ，６ｆに対して、左右のアバット部材１との間で十分な圧縮力が与えられた状態となることを確認するようにする。
【００３６】
その後、図３（ニ）に示す如く、上記仮設材３の取り外しを行う。この取り外し作業を行う場合は、先ず、上記仮設材３の下段中央部材３ｂを、前後方向の片側（図では手前側）へ引き出すか又は反対側から押し出すようにして抜き取る。次に、左右の各下段端部部材３ｃ，３ｄを、上記下段中央部材３ｂと同様にして前後方向の片側へ抜き取る。上記のようにして仮設材３の下段の各部材３ｂ，３ｃ，３ｄをすべて抜き取ると、上段部材３ａは下方へ垂直に変位できるようになるため、該上段部材３ａを、一旦下降させた後、前後方向の片側へ抜き取って、仮設材３の取り外しを行うようにする。これにより、図４に示す如く、左右のアバット部材１の間に、互いに十分な圧縮力を作用させた上記各アーチ石様部材６ａ，６ｂ，６ｃ，６ｄ，６ｅ，６ｆと要石様部材５とからなるアーチ橋部４が構築されるようになる。
【００３７】
更に、上記図３（イ）（ロ）（ハ）（ニ）と同様の手順により別途構築したアーチ橋部４を、必要に応じて図４に二点鎖線で示す如く前後、左右方向に並べるよう配置することで、複数個のアーチ橋部４により、大型のアーチ橋の模型を形成させるようにしてもよい。
【００３８】
上記アーチ橋部４を分解（解体）する場合は、上記アーチ石様部材６ａ，６ｂ，６ｃ，６ｄ，６ｅ，６ｆと要石様部材５により形成されているアーチ形状の部分に対して下方からの力を加えることで、容易に分解作業を行うことが可能になる。
【００３９】
その後、上記本発明のアーチ橋模型の使用後は、図２に示す如く、左右のアバット部材１間の連結部材２上に、上記アーチ橋部４を構築する場合と同様に、仮設材３と、各アーチ石様部材６ａ，６ｂ，６ｃ，６ｄ，６ｅ，６ｆを載置した後、要石様部材５を、仮設材３の頂部の上側に軽く載置し、更に、上記アーチ橋部４の頂部を除く左右両側位置の上側に、左右の蓋材７をそれぞれ載置した状態とするようにする。これにより、上記アーチ橋模型の各部材をコンパクトにまとめることができると共に、上記左右の蓋材７の上面が水平面となることから、複数のアーチ橋模型を積み重ねるようにして収納するようにしたり、収納してあるアーチ橋模型の上に別のものを載置することも可能になる。
【００４０】
このように、本発明のアーチ橋模型によれば、左右のアバット部材１を、左右方向に延びる連結部材２で連結するようにしてあるため、上記左右のアバット部材１の間で組み立てるアーチ橋部４より該左右のアバット部材１に対して作用する水平方向外向きの大きな力を、該左右のアバット部材１から上記連結部材２に伝えて、該連結部材２の伸び剛性によって受けさせることができる。これにより、アーチ橋部４の左右両端部を受けるために、大きな重量を有するアバットや、屋内の床面等の固定部に固定したアバットは不要になる。
【００４１】
しかも、上記アバット部材１及び連結部材２は共に木製としてあり、更に、仮設材３と、アーチ橋部４を構成するためのアーチ石様部材６ａ，６ｂ，６ｃ，６ｄ，６ｅ，６ｆ及び要石様部材５、更には、蓋材７は、いずれも発泡樹脂素材製としてあるので、アーチ橋模型全体を軽量化することができて、人手により様々な場所に容易に搬送することが可能になる。
【００４２】
又、上記アーチ橋模型は、連結部材２を配置でき且つその周囲で作業するための所要の平坦なスペースが確保できれば、どこででもアーチ橋部４を組み立てて構築することが可能になる。
【００４３】
更に、上記アーチ橋部４は、各アーチ石様部材６ａ，６ｂ，６ｃ，６ｄ，６ｅ，６ｆ及び要石様部材５を接着することなく容易に構築できる。又、アーチ形状部分の下方から力を加えることで各アーチ石様部材６ａ，６ｂ，６ｃ，６ｄ，６ｅ，６ｆと要石様部材５に容易に分解できるため、繰り返し使用することが可能になる。
【００４４】
以上のことから、本発明のアーチ橋模型は、石造アーチ橋のような組積造によるアーチ橋の学習教材として優れたものとすることができる。しかも、アーチ橋部４の構築手順は、石造アーチ橋と同様の組積造によるアーチ橋の構築手順とほぼ同様であると共に、上記アーチ石様部材６ａ，６ｂ，６ｃ，６ｄ，６ｅ，６ｆと、要石様部材５により構築されるアーチ橋部４は、組積造によるアーチ橋の原理を最も忠実に表現した模型となるため、自然科学の学習教材としても価値を有するものとすることができる。
【００４５】
次に、図５は本発明の実施の他の形態として、仮設材３の別の例を示すもので、以下のような構成としてある。
【００４６】
すなわち、図５に示した仮設材３は、図１乃至図４の実施の形態における仮設材３と同様に、仮設材３の略半円柱形を所要の高さ位置で水平な分割面により上下２段に分割すると共に、この分割により形成される上段部材３ａと下段部分のうちの下段部分を、所要間隔を隔てた左右２個所で、前後方向に平行な垂直な分割面で更に分割して、左右の下段端部部材３ｃ，３ｄと、その間に位置する下段中央部材３ｂとからなる分割構造とする構成に代えて、上記と同様に仮設材３を上下２段に分割して下段部分を下段中央部材と左右の下段端部部材としてある構成において、下段中央部材３ｅが、前後方向の一端側から他端側に向けて左右の幅寸法が徐々に狭くなるテーパ状の平面形状となり、且つ左右の下段両端部材３ｆ，３ｇが、前後方向の一端側から他端側に向けて左右の幅寸法が徐々に広くなるテーパ状の平面形状となるように分割してなる分割構造とする構成としたものである。
【００４７】
本実施の形態によれば、上記上段部材３ａと、下段の各部材３ｅ，３ｆ，３ｇとからなる略半円柱形状の仮設材３を組み立て、該組み立てられた仮設材３を用いて図３（イ）（ロ）（ハ）に示したものと同様の手順により、上記仮設材３の上側で各アーチ石様部材６ａ，６ｂ，６ｃ，６ｄ，６ｅ，６ｆと要石様部材５とからなるアーチ橋部４を形成させた後、図３（ニ）に示したと同様に、該アーチ橋部４の下側から仮設材３を取り外すときに、先ず、上記下段中央部材３ｅを、図５中に矢印ｘで示す如く、左右巾寸法の広い側へ引き出すようにすると、該下段中央部材３ｅを、左右の各下段端部部材３ｆ，３ｇと摺動させることなく抜き出すことができるようになるため、上記仮設材３の取り外し作業に要する力をより軽減させることが可能になる。
【００４８】
次いで、図６（イ）（ロ）は本発明の実施の更に他の形態を示すもので、左右のアバット部材１を、左右方向に所要の寸法を備えた矩形板状の連結部材２の左右両端部にそれぞれ一体に接合した構成に代えて、左右方向の寸法を伸縮できる連結部材２ａの両端部に、上記左右のアバット部材１をそれぞれ取り付けてなる構成として、上記連結部材２ａの伸縮量の調整により、上記左右のアバット部材１同士の間隔を調整できるようにしたものである。
【００４９】
具体的には、上記連結部材２ａは、図６（イ）（ロ）に示す如く、図１乃至図４の実施の形態の連結部材２と同様の矩形の平面形状を、所要個所で所要の隙間、たとえば、数ｃｍの隙間を隔てて左右方向に２分割した平面形状を有する左右の分割材９及び１０を備え、且つ、たとえば、左側の分割材９における右端面に、前後方向の２個所で右側へ所要寸法水平に突出するボルト材１１を、所要の取付部材１２を介して取り付ける。更に、上記右側の分割材１０には、上記左側の分割材９に取り付けた各ボルト材１１と対応する前後方向２個所に、該分割材１０を左右水平方向に貫通するボルト挿通孔１３をそれぞれ穿設しておき、該各ボルト挿通孔１３に、上記左側の分割材９に取り付けてある各ボルト材１１を挿通させると共に、該各ボルト材１１の突出端部に、調整ナット１４をそれぞれ螺着させた構成としてある。
【００５０】
更に、上記連結部材２ａは、上記左側の分割材９の左端部の上側と、上記右側の分割材１０の右端部の上側に、図１乃至図４の実施の形態のアバット部材１と同様のアバット部材１を取り付けた構成としてある。
【００５１】
その他の構成は図１乃至図４に示したものと同様であり、同一のものには同一の符号が付してある。
【００５２】
本実施の形態のアーチ橋模型によれば、図３（イ）（ロ）（ハ）に示した手順と同様に、先ず、上記左右のアバット部材１を一体に取り付けてある連結部材２ａを、所要の平坦な場所に置き、次に、上記連結部材２ａの左右方向の中央部の上側に仮設材３を載置し、次いで、上記左右のアバット部材１の間に、上記仮設材３の上側に沿って各アーチ石様部材６ａ，６ｂ，６ｃ，６ｄ，６ｅ，６ｆを順次載置した状態とした後、上記仮設材３の頂部付近の左右位置に配置された左右のアーチ石様部材６ｆの間に要石様部材５を打ち込むときに、該要石様部材５の打ち込みによっても上記各アーチ石様部材６ａ，６ｂ，６ｃ，６ｄ，６ｅ，６ｆに対して十分な圧縮力を与えることができない場合は、上記ボルト材１１に螺着してある調整ナット１４を所要量締め込むようにすると、左右の分割材９と１０の間隔を狭めて左右の各アバット部材１同士をより接近させることができる。よって、上記調整ナット１４の締め込み量を調整することで、上記要石様部材５の打ち込みにより、その左右両側に配列されている各アーチ石様部材６ａ，６ｂ，６ｃ，６ｄ，６ｅ，６ｆに対して作用させる圧縮力の強度を適宜調整することができる。これにより、図１乃至図４の実施の形態で用いる圧縮力調整部材８を省略しても、上記アーチ石様部材６ａ，６ｂ，６ｃ，６ｄ，６ｅ，６ｆ及び要石様部材５からなるアーチ橋部４を確実に形成させることができるようになる。
【００５３】
本実施の形態では、左右のアバット部材１間で構築するアーチ橋部４より該各アバット部材１に対して作用することとなる水平方向外向きの力は、上記アーチ橋部４の左端部からは左端側のアバット部材１を介して連結部材２ａにおける図上左側の分割材９に伝えられ、一方、上記アーチ橋部４の右端部からは右端側のアバット部材１を介して連結部材２ａにおける図上右側の分割材９及び各調整ナット１４を介して上記図上左側の分割材９に取り付けられているボルト材１１へ伝えられて、該分割材９及びボルト材１１の伸び剛性により受けることができる。よって、本実施の形態によっても図１乃至図４の実施の形態と同様の効果を得ることができる。
【００５４】
なお、本発明は、上記実施の形態にのみ限定されるものではなく、アバット部材１は、構築されるアーチ橋部４の左右両端部より受ける水平方向外向きの大きな力を、左右のアバット部材１同士を連結している連結部材２，２ａへ伝えることができ、且つ学習教材として用いる点に鑑みて、重量が多大になる虞がなければ、たとえば、アングル材を用いる等、形状や材質は適宜変更してもよい。
【００５５】
アーチ橋部４の前後左右方向の寸法や、アーチ形状は、学習教材として使用し易いサイズや重量を考慮すれば、適宜変更してもよい。又、アーチ橋部４を構築するために要石様部材５の左右両側に配されるアーチ石様部材６ａ，６ｂ，６ｃ，６ｄ，６ｅ，６ｆの分割数は、適宜増減してもよい。
【００５６】
仮設材３は、分割構造としてある各部材を略半円柱形状に組み立てた仮設材３の上側で、アーチ石様部材６ａ，６ｂ，６ｃ，６ｄ，６ｅ，６ｆと要石様部材５とからなるアーチ橋模型４を構築する作業時に所要の力が作用しても、上記略半円柱形状を保持できるようにしてあれば、たとえば、図１乃至図４の実施の形態における仮設材３の下段中央部材３ｂを図示したものよりも狭幅として、左右の下段端部部材３ｃ，３ｄとの間に所要の隙間を形成させるようにすることで、アーチ橋模型４を構築した後に該下段中央部材３ｂを抜き取る作業時に、左右の下段端部部材３ｃ，３ｄとの摺動が生じないようにする等、該仮設材３の分割形状や分割数は適宜変更してもよい。更に、上記仮設材３は、左右のアバット部材１間でアーチ石様部材６ａ，６ｂ，６ｃ，６ｄ，６ｅ，６ｆと要石様部材５からなるアーチ橋部４を構築した後、該アーチ橋部４の下側から抜き出して取り外す作業を容易に行うことができるようにするためには、該仮設材３を所要の分割構造とすることが好ましいが、略半円柱形状をなす一体物の仮設材３を用いるようにしてもよい。
【００５７】
蓋材７を左右２分割構造のものとして示したが、左右のアバット部材１の間に配置されたアーチ石様部材６ａ，６ｂ，６ｃ，６ｄ，６ｅ，６ｆと要石様部材５の上側に載置することができ且つ該載置状態で上面が水平となるようにしてあれば、左右方向に一連の蓋材を用いるようにしてもよい。更に、本発明のアーチ橋模型を収納するときの収納性を高めるためには、蓋材７を備えることが好ましいが、該蓋材７は省略してもよい。
【００５８】
図１乃至図４の実施の形態では、連結部材２を、矩形の平板状のものとして示したが、所要間隔を隔てて配置した左右のアバット部材１を一体に連結でき、且つ上記各アバット部材１間にて構築したアーチ橋部４より該各アバット部材１に対して水平方向外向きの力が作用するときにも各アバット部材１が外側に広がる変位を防ぐことができ、しかも、学習教材として用いる点に鑑みて、重量が多大になる虞がなければ、上記連結部材２の形状や材質は適宜変更してもよい。
【００５９】
又、図６（イ）（ロ）の実施の形態における左右方向の寸法を伸縮できるようにした連結部材２ａは、左右の分割材９と１０のうちの一方の分割材９に取り付けたボルト材１１を、他方の分割材１０に設けたボルト挿通孔１３に挿通させて、該ボルト材１１の突出端部に螺着させた調整ナット１４の締め込み量を適宜調整することで、上記左右の分割材９と１０の間隔を変化させることができるものとして示したが、左右のアバット部材１同士の間隔を、近接離反方向に所要寸法変更でき、且つ各アバット部材１間にて構築したアーチ橋部４より該各アバット部材１に対して水平方向外向きの力が作用するときにも各アバット部材１が外側に広がる変位を防ぐことができ、しかも、学習教材として用いる点に鑑みて、重量が多大になる虞がなければ、上記連結部材２ａにおける左右方向の寸法の伸縮機構は、いかなる形式のものを採用してもよい。
【００６０】
その他本発明の要旨を逸脱しない範囲内で種々変更を加え得ることは勿論である。
【図面の簡単な説明】
【００６１】
【図１】本発明のアーチ橋模型の実施の一形態を示すもので、組み立てを行うべき各構成部材を分離した状態で示す概略斜視図である。
【図２】図１のアーチ橋模型の各構成部材を組み合わせた状態を示す概略正面図である。
【図３】図１のアーチ橋模型のアーチ橋部を構築する手順を示すもので、（イ）は左右のアバット部材間に仮設材と左右両端部のアーチ石様部材を配置した状態を、（ロ）は仮設材に沿って各アーチ石様部材を配置した状態を、（ハ）は左右のアーチ石様部材の間に要石様部材を打ち込む状態を、（ニ）は仮設材を取り外す状態を、それぞれ示す概略斜視図である。
【図４】図１のアーチ橋模型のアーチ橋部を構築した状態を示す概略斜視図である。
【図５】本発明の実施の他の形態を示すもので、分割構造としてある仮設材の別の例を示す概略斜視図である。
【図６】本発明の実施の更に他の形態を示すもので、（イ）は概略正面図、（ロ）は（イ）のＡ−Ａ方向矢視図である。
【図７】石造アーチ橋の一般的な構造を示す概要図である。
【符号の説明】
【００６２】
１  アバット部材
２，２ａ  連結部材
３  仮設材
３ａ  上段部材
３ｂ  下段中央部材
３ｃ，３ｄ  下段端部部材
３ｅ  下段中央部材
３ｆ，３ｇ  下段端部部材
４  アーチ橋部
５  要石様部材
６ａ，６ｂ，６ｃ，６ｄ，６ｅ，６ｆ  アーチ石様部材
７  蓋材
８  圧力調整部材
【図１】
2008115572.tif 000003
【図２】
2008115572.tif 000004
【図３】
2008115572.tif 000005
【図４】
2008115572.tif 000006
【図５】
2008115572.tif 000007
【図６】
2008115572.tif 000008
【図７】
2008115572.tif 000009